(57)【要約】【課題】地上局から送信されるテレビ放送信号の信号レベルを測定し、複数の放送チャンネルの信号レベルを一覧表示する信号レベル測定装置において、表示された信号レベルから、テレビ放送信号の種類を識別できるようにすることを目的とする。【解決手段】制御回路４０は、予め設定された放送チャンネルを順次選択し、入力端子１２から入力された受信信号の中から、選択した放送チャンネルの受信信号を選局する。そして、この放送チャンネルの信号レベルを測定すると共に、この信号がデジタル放送用の信号であるか、アナログ放送用の信号であるかを判断し、この信号がデジタル放送用の信号である場合には、表示部３６の所定の位置に、信号レベルを青色棒グラフ５０にて表示し、アナログ放送用の信号である場合には、信号レベルを赤色棒グラフ５２にて表示して、設定された放送チャンネル全ての信号レベルを棒グラフにて一覧表示する。【選択図】図３
2007104013.tif 000002
【特許請求の範囲】
【請求項１】
地上局からのテレビ放送信号を受信する受信アンテナから入力される受信信号の中から、外部から指定された所定放送チャンネルのテレビ放送信号を選局する選局手段と、
該選局手段にて選局されたテレビ放送信号の信号レベルを測定する信号レベル測定手段と、
該信号レベル測定手段により測定された信号レベルを表示手段に表示する表示制御手段と、
を備えた信号レベル測定装置であって、
前記選局手段が選局する放送チャンネルを順次切り替えるチャンネル切替手段と、
前記選局手段により選局されたテレビ放送信号がデジタル放送用の信号であるかアナログ放送用の信号であるかを識別する信号識別手段と、
を備え、
前記信号レベル測定手段は、前記チャンネル切替手段により切り替えられた放送チャンネルのテレビ放送信号の信号レベルを順に測定し、
前記表示制御手段は、前記信号識別手段により識別された結果に基づいて、前記信号レベル測定手段により測定された各放送チャンネルのテレビ放送信号の信号レベルを、該各テレビ放送信号が、アナログ放送用の信号であるかデジタル放送用の信号であるかを識別可能に前記表示手段に一覧表示することを特徴とする信号レベル測定装置。
【請求項２】
前記表示制御手段は、前記信号レベル測定手段により測定された信号レベルを棒グラフにて一覧表示することを特徴とする請求項１に記載の信号レベル測定装置。
【請求項３】
前記表示制御手段は、前記棒グラフの色を変えることで、各放送チャンネルのテレビ放送信号がデジタル放送用の信号であるか、アナログ放送用の信号であるかを識別可能に表示することを特徴とする請求項２に記載の信号レベル測定装置。
【請求項４】
前記選局手段により選局されたテレビ放送信号を復調し、復調したテレビ放送信号からデジタルデータを取得するデータ取得手段を備え、
前記信号識別手段は、該データ取得手段により前記デジタルデータが取得されたか否かにより、前記テレビ放送信号がデジタル放送用の信号であるかアナログ放送用の信号であるかを識別することを特徴とする請求項１〜請求項３の何れかに記載の信号レベル測定装置。
【請求項５】
前記信号識別手段は、前記テレビ放送信号がデジタル放送用の信号である場合に、前記デジタルデータの内容に基づいて前記テレビ放送信号の変調方式を識別し、
前記表示制御手段は、前記テレビ放送信号がデジタル放送用の信号である場合に、各放送チャンネルのテレビ放送信号の信号レベルを、さらに、各テレビ放送信号の変調方式を識別可能に前記表示手段に一覧表示することを特徴とする請求項４に記載の信号レベル測定装置。
【発明の詳細な説明】
【技術分野】
【０００１】
本発明は、地上局から送信され、受信アンテナで受信したテレビ放送信号の信号レベルを測定する信号レベル測定装置に関する。
【背景技術】
【０００２】
従来より、地上局から送信されるテレビジョン放送用の信号（以下、テレビ放送信号とする）の電界強度を測定したり、受信アンテナの向きを調整するために、レベルチェッカが使用されている。この種のレベルチェッカは、通常、受信アンテナからの受信信号を伝送する伝送線に接続して使用され、外部から放送チャンネルが指定されると、対象となる放送チャンネルを選局すると共に、選局したテレビ放送信号の信号レベルを測定し、測定した結果を数値や棒グラフ等を用いて、レベルチェッカの前面に設けられた液晶ディスプレイ等に表示するように構成されている。
【０００３】
また、このようなレベルチェッカには、複数の放送チャンネルのテレビ放送信号の信号レベルを同時に確認できるように、測定周波数を高い方向または、低い方向に順次変更し、複数の周波数ポイント（つまり、複数の放送チャンネル）の信号レベルを自動的に測定し、測定した結果を棒グラフにより一覧表示する機能を備えたものが提案されている（例えば、特許文献１等参照）。
【特許文献１】特開平４−３５４４９４号公報
【発明の開示】
【発明が解決しようとする課題】
【０００４】
ところで、現在、テレビ放送信号としては、デジタル放送用の信号と、アナログ放送用の信号の２種類の信号が使用されており、また、地上局により同じ周波数（つまり、放送チャンネル）で異なる種類のテレビ放送信号を送信している場合がある。そして、地域によっては複数の地上局から送信される信号を受信可能であるため、アンテナにより受信されたテレビ放送信号は、デジタル放送用の信号と、アナログ放送用の信号とが混在している可能性がある。しかしながら、上記のようなレベルチェッカにおいては、測定した信号レベルが一様に棒グラフにより表示されているので、表示された信号レベルが、デジタル放送用の信号の信号レベルか、アナログ放送用の信号の信号レベルかを、表示から判断することはできなかった。
【０００５】
本発明は、こうした問題に鑑みなされたもので、地上局から送信されるテレビ放送信号の信号レベルを測定し、複数の放送チャンネルの信号レベルを一覧表示する信号レベル測定装置において、表示された信号レベルから、テレビ放送信号の種類を識別できるようにすることを目的とする。
【課題を解決するための手段】
【０００６】
かかる目的を達成するためになされた請求項１に記載の発明は、地上局からのテレビ放送信号を受信する受信アンテナから入力される受信信号の中から、外部から指定された所定放送チャンネルのテレビ放送信号を選局する選局手段と、該選局手段にて選局されたテレビ放送信号の信号レベルを測定する信号レベル測定手段と、該信号レベル測定手段により測定された信号レベルを表示手段に表示する表示制御手段と、を備えた信号レベル測定装置であって、前記選局手段が選局する放送チャンネルを順次切り替えるチャンネル切替手段と、前記選局手段により選局されたテレビ放送信号がデジタル放送用の信号であるかアナログ放送用の信号であるかを識別する信号識別手段と、を備え、前記信号レベル測定手段は、前記チャンネル切替手段により切り替えられた放送チャンネルのテレビ放送信号の信号レベルを順に測定し、前記表示制御手段は、前記信号識別手段により識別された結果に基づいて、前記信号レベル測定手段により測定された各放送チャンネルのテレビ放送信号の信号レベルを、該各テレビ放送信号が、アナログ放送用の信号であるかデジタル放送用の信号であるかを識別可能に前記表示手段に一覧表示することを特徴とする。
【０００７】
次に、請求項２に記載の発明は、請求項１に記載の信号レベル測定装置において、前記表示制御手段は、前記信号レベル測定手段により測定された信号レベルを棒グラフにて一覧表示することを特徴とする。
【０００８】
そして、請求項３に記載の発明は、請求項２に記載の信号レベル測定装置において、前記表示制御手段は、前記棒グラフの色を変えることで、各放送チャンネルのテレビ放送信号がデジタル放送用の信号であるか、アナログ放送用の信号であるかを識別可能に表示することを特徴とする。
【０００９】
一方、請求項４に記載の発明は、請求項１〜請求項３の何れかに記載の信号レベル測定装置において、前記選局手段により選局されたテレビ放送信号を復調し、復調したテレビ放送信号からデジタルデータを取得するデータ取得手段を備え、前記信号識別手段は、該データ取得手段により前記デジタルデータが取得されたか否かにより、前記テレビ放送信号がデジタル放送用の信号であるかアナログ放送用の信号であるかを識別することを特徴とする。
【００１０】
そして、請求項５に記載の発明は、請求項４に記載の信号レベル測定装置において、前記信号識別手段は、前記テレビ放送信号がデジタル放送用の信号である場合に、前記デジタルデータの内容に基づいて前記テレビ放送信号の変調方式を識別し、前記表示制御手段は、前記テレビ放送信号がデジタル放送用の信号である場合に、各放送チャンネルのテレビ放送信号の信号レベルを、さらに、各テレビ放送信号の変調方式を識別可能に前記表示手段に一覧表示することを特徴とする。
【発明の効果】
【００１１】
請求項１に記載の信号レベル測定装置においては、チャンネル切替手段が、選局手段が選局する放送チャンネルを順次切り替え、信号識別手段が、選局手段により選局されたテレビ放送信号がデジタル放送用の信号であるかアナログ放送用の信号であるかを識別する。そして、信号レベル測定手段は、チャンネル切替手段により切り替えられた放送チャンネルのテレビ放送信号の信号レベルを順に測定し、表示制御手段は、信号識別手段により識別された結果に基づいて、信号レベル測定手段により測定された各放送チャンネルのテレビ放送信号の信号レベルを、各テレビ放送信号が、アナログ放送用の信号であるかデジタル放送用の信号であるかを識別可能に前記表示手段に一覧表示する。
【００１２】
このため、請求項１に記載の信号レベル測定装置によれば、信号レベルを単に一覧表示するだけでなく、各放送チャンネル毎に、受信した信号がデジタル放送用の信号であるか、アナログ放送用の信号であるかを識別可能に一覧表示するので、使用者は受信アンテナが受信しているテレビ放送信号の種類を識別することができ、例えば、デジタル放送用の信号とアナログ放送用の信号が混在する地域においても、受信したい信号を容易に見分けることができるので、確実に受信アンテナの方向調整、信号レベルの調整を行うことが可能となる。
【００１３】
次に、請求項２に記載の信号レベル測定装置においては、表示制御手段が、信号レベル測定手段により測定された信号レベルを棒グラフにて一覧表示する。
例えば、各放送チャンネルの信号レベルを数値により表示してもよいが、請求項２に記載のように棒グラフにて表示すれば、容易に各放送チャンネル毎の信号レベルの大小を比較できるので、放送チャンネルの信号レベルを一定に揃えたいような場合には、非常に効率よく調整を行うことができるようになり、便利である。
【００１４】
そして、請求項３に記載の信号レベル測定装置においては、表示制御手段が、棒グラフの色を変えることで、各放送チャンネルのテレビ放送信号がデジタル放送用の信号であるか、アナログ放送用の信号であるかを識別可能に表示する。
【００１５】
例えば、棒グラフの線種、パターン、または、グラデーションを変えたり、棒グラフに記号を付加したりすることにより、デジタル放送用の信号であるか、アナログ放送用の信号であるかを識別できるように表示してもよいが、カラー表示が可能な場合には、請求項３に記載のように、棒グラフの色を変えると、より視覚的に識別が容易となるので、便利である。
【００１６】
一方、請求項４に記載の信号レベル測定装置においては、データ取得手段が、選局手段により選局されたテレビ放送信号を復調して復調したテレビ放送信号からデジタルデータを取得し、信号識別手段は、データ取得手段によりデジタルデータが取得されたか否かにより、テレビ放送信号がデジタル放送用の信号であるか、アナログ放送用の信号であるかを識別する。
【００１７】
例えば、各放送チャンネル毎のテレビ放送信号の波形、つまり、放送チャンネル帯域内の信号レベルの変動から、アナログ放送用の信号であるか、デジタル放送用の信号であるかを識別してもよいが、請求項４に記載の信号レベル測定装置によれば、入力された信号の復調を行ってデジタルデータが取得できるか否かにより判断しているので、より確実にデジタル放送用の信号であるか、アナログ放送用の信号であるかを識別でき、より正確な表示とすることができる。
【００１８】
また、請求項５に記載の信号レベル測定装置においては、信号識別手段は、テレビ放送信号がデジタル放送用の信号である場合に、デジタルデータの内容に基づいてテレビ放送信号の変調方式を識別し、表示制御手段は、テレビ放送信号がデジタル放送用の信号である場合に、各放送チャンネルのテレビ放送信号の信号レベルを、さらに、各テレビ放送信号の変調方式を識別可能に前記表示手段に一覧表示する。
【００１９】
このため、請求項５に記載の信号レベル測定装置によれば、変調方式が識別可能に信号レベルが表示されるので、使用者は、この表示から、受信アンテナが受信しているテレビ放送信号の変調方式を知ることができる。そして、例えば、この情報を、このテレビ放送信号のさらに詳細な測定（Ｃ／Ｎ等の測定）を行うか否か、詳細な表示（コンスタレーション表示、変調誤差率表示等）をさせるか否か等の判断に利用でき、便利である。
【発明を実施するための最良の形態】
【００２０】
以下に本発明の実施形態を図面と共に説明する。
図１は、地上局から送信されるテレビ放送信号の信号レベルを測定するレベルチェッカ１０の全体構成を示す概略構成図である。
【００２１】
本実施形態のレベルチェッカ１０は、外部から入力された指令により、地上アナログ放送用の信号の信号レベル、又は、地上デジタル放送用の信号の信号レベルの測定を放送チャンネル毎に行うものであり、特に、測定する放送チャンネルを順次変更して複数の放送チャンネルの放送信号の信号レベルを自動的に測定し、測定した信号レベルを一覧表示するサーチ機能を備えたものである。
【００２２】
ところで、地上局から送信されるデジタル放送用の信号には、ＭＰＥＧ２方式が適用されており、デジタル化された映像、音声、データをパケット化することにより生成されたＴＳパケットと呼ばれる１８８バイトのパケットを、一本のデータ列に多重化することにより得られるＴＳ信号（トランスポートストリーム形式のビットデータ系列信号）が使用されている。そして、このＴＳ信号は、信号が送信される際に、ＴＳ信号を構成するＴＳパケット毎に、使用されるサービス（固定受信向けサービス、携帯・移動受信向けサービス等）に応じて一旦階層分割され、分割されたＴＳパケットは、サービスに応じた変調方式（例えば、固定受信向けの信号は、大容量信号を伝送できる伝送容量の多い変調方式である６４ＱＡＭや１６ＱＡＭ、移動受信向けの信号は、マルチパス妨害に強いＱＰＳＫ等）にてキャリア変調されて、再び階層合成される。その後、変調された複数のキャリアからＯＦＤＭ信号が生成され、地上局から送信される。
【００２３】
ここで、ＯＦＤＭ信号が生成される際には、キャリアの変調方式を示す変調モード信号等からなる制御信号（ＴＭＣＣ信号）が付加されており、本実施形態のレベルチェッカ１０では、この変調モード信号によりキャリアの変調方式を識別する。また、各ＴＳパケットには、このＴＳパケットを識別するための識別子が定義された固定長のヘッダが設けられており、本実施形態のレベルチェッカ１０では、このヘッダが読み取られるか否かにより、受信したテレビ放送信号がデジタル放送用の信号であるか、アナログ放送用の信号であるかを識別する。
【００２４】
レベルチェッカ１０は、図１に示すように、入力端子１２から入力された受信アンテナからの受信信号（９０〜７７０ＭＨｚ）を増幅するＲＦ増幅回路１４と、この増幅された受信信号レベルを減衰させる可変減衰器１６と、発振周波数を変更可能な可変発振回路１８と、可変発振回路１８からの出力信号と可変減衰器１６からの受信信号とを混合して、受信信号中の選択された放送チャンネル帯域内の信号を、予め設定された測定周波数ｆｏｅ（本実施形態では５４．２５ＭＨｚ）の信号に変換するミキサ２０と、ミキサ２０からの出力信号の中から測定周波数ｆｏｅを中心とする所定帯域幅（本実施形態では±０．２５ＭＨｚ）の受信信号だけを通過させる信号抽出フィルタ（以下、ＢＰＦとする）２２と、ＢＰＦ２２からの出力信号を増幅するＩＦ増幅回路２４と、この増幅された出力信号の信号レベルを減衰させる可変減衰器２６と、可変減衰器２６からの出力信号を検波する検波回路２８と、検波回路２８から出力される検波電圧をデジタル信号に変換するＡ／Ｄコンバータ３０と、可変減衰器２６からの出力信号の復調、誤り訂正等を行うことにより、上述したＴＳ信号、変調モード信号等の信号を抽出するＯＦＤＭ復調部３２と、電源のオン／オフ、測定方法の選択、信号レベルの測定対象とする放送チャンネルの選択、測定開始等の各種指令の入力をするための操作用のボタン等が設けられた操作部３４と、カラー液晶パネルからなる表示部３６と、書き換え可能なＥＥＰＲＯＭ等からなるメモリ３８と、ＣＰＵ、ＲＯＭ、ＲＡＭ等を備えた周知のマイクロコンピュータにより構成された制御回路４０と、外部機器と接続するための外部端子４２とを備えている。
【００２５】
このように構成された本実施形態のレベルチェッカ１０は、入力端子１２と、受信アンテナにより受信されたテレビ放送信号が伝送される同軸ケーブルとを接続して使用され、操作部３４を介して、外部から入力された指令に従い信号レベルの測定等の各種処理を実行する。
【００２６】
例えば、予め設定された放送チャンネルの信号レベルを順次測定するサーチ機能による測定指令が入力された場合には、制御回路４０は、測定する周波数ポイント（つまり、放送チャンネル）を高い方向または、低い方向に順に選択し、選択した放送チャンネルのテレビ放送信号の信号レベルの測定及び信号レベルの表示を繰り返し実行し、設定された周波数帯域の全ての放送チャンネルの信号レベルを表示部３６に一覧表示する。
【００２７】
詳述すると、制御回路４０は、操作部３４を介して指令が入力されると、まず、予め設定された放送チャンネルの中から、最も周波数の低い放送チャンネルを選択し、選択した放送チャンネル帯域内の信号が測定周波数ｆｏｅの信号に変換されるように発振回路１８の発振周波数を調整し、ＢＰＦ２２から、この放送チャンネルに対応した受信信号が出力されるように選局を行う。
【００２８】
そして、ＢＰＦ２２から出力された出力信号は、ＩＦ増幅回路２４により増幅された後、検波回路２８及びＯＦＤＭ復調部３２に入力される。検波回路２８に入力された信号は、検波回路２８により検波され、この検波電圧がＡ／Ｄコンバータ３０によりデジタル信号に変換される。一方、ＯＦＤＭ復調部３２に入力された信号は、入力された信号がデジタル放送用の信号である場合には、ＯＦＤＭ復調部３２にて復調、誤り訂正等が行われ、ＴＳ信号、変調モード信号等が抽出される。
【００２９】
制御回路４０は、ＯＦＤＭ復調部３２から出力された信号により、選択した放送チャンネルの信号がデジタル放送用の信号であるかアナログ放送用の信号であるかを判断し、判断結果に基づいた方法で、Ａ／Ｄコンバータ３０から出力されたデジタル信号からこの放送チャンネルの信号レベルを測定する。また、デジタル放送用の信号であると判断した場合には、ＯＦＤＭ復調部３２にて抽出された変調モード信号により、キャリアの変調方式を識別する。
【００３０】
そして、制御回路４０は、この放送チャンネルの信号がデジタル放送用の信号であるか、アナログ放送用の信号であるかを識別できるように、測定した信号レベルを表示し、信号がデジタル放送用の信号である場合には、さらに、キャリアの変調方式を表示する。そして、制御回路４０は、１つの放送チャンネルの信号の信号レベルの表示が終了すると、次の放送チャンネルを選択し、予め設定された全ての放送チャンネルの信号レベルの表示を終了するまで、同じ処理を繰り返し実行する。
【００３１】
なお、信号レベルの測定時には、制御回路４０は、可変減衰器１６、２６の減衰量を制御し、入力されたテレビ放送信号のレベルが制御回路４０内の測定レンジを超えない範囲で最適に測定されるように調整を行う。
【００３２】
また、制御回路４０内のＲＯＭには、各放送チャンネル毎の中心周波数ｆｃや測定周波数ｆｏｅ等の制御回路４０が実行する処理に必要な情報が予め記憶されている。そして、操作部３４、または、外部端子４２に接続されたパソコン等の外部機器から、サーチ機能による測定時に測定を行う放送チャンネル等の各種設定値が入力されると、制御回路４０は、これらの各種設定値を書換可能なメモリ３８に保存する。
【００３３】
図２は、テレビ放送信号の信号波形を示す説明図である。
レベルチェッカ１０に入力されるテレビ放送信号は、図２（ａ）に示すアナログ放送用の信号、又は、図２（ｂ）に示すデジタル放送用の信号であり、伝送方式や変調方式等の違いにより、信号波形（信号成分の周波数分布）が大きく異なる。このため、本実施形態のレベルチェッカ１０は、各信号に適した方法で信号レベルの測定を行うように構成されている。
【００３４】
まず、入力された信号が、図２（ａ）に示すようなアナログ放送用の信号である場合には、映像搬送波周波数ｆｖ（＝ｆｃ−１．７５ＭＨｚ）にピークがあるため、映像搬送波周波数ｆｖを中心として、所定帯域幅（本実施形態では０．５ＭＨｚ）の範囲内の信号成分を抽出し、この値を信号レベルＥｎとして測定する。
【００３５】
一方、入力された信号が、図２（ｂ）に示すようなデジタル放送用の信号（ＯＦＤＭ信号）である場合には、信号レベルは放送チャンネルの帯域内でほぼ一様であるため、周波数帯域をＢＰＦ２２の帯域幅で分割すると共に、各分割された帯域の中心周波数ｆｍを中心として、分割された帯域内の信号成分を抽出し、各分割された帯域毎に抽出した信号成分を全て積算し、この値を信号レベルＥｎとして測定する。
【００３６】
次に、レベルチェッカ１０の制御回路４０で実行される信号測定処理について、図３を用いて説明する。なお、この信号測定処理は、操作部３４の電源スイッチがオンされ、操作部３４からサーチ機能による測定指令が入力されることにより開始される。
【００３７】
図３は、本実施形態の信号測定処理を示すフローチャートであり、図４は、本実施形態のレベルチェッカ１０の表示部３６の表示例を示す説明図である。
まず、図３に示すように、本処理が開始されると、Ｓ１１０にて、カウント値ｎとして値１をセット（ｎ＝１）し、Ｓ１２０にて、予め設定された第ｎ放送チャンネルの中心周波数ｆｃを読み込む。なお、本実施形態のサーチ機能では、予め設定された第１放送チャンネルから第Ｎ放送チャンネルの全Ｎ個の放送チャンネルを順に選択し、信号レベルＥｎの測定、表示を行うものとする。
【００３８】
そして、続くＳ１３０では、入力されたテレビ放送信号の信号レベルが制御回路４０の測定レンジを超えない範囲で最適に測定されるように調整する。詳述すると、制御回路４０は、入力端子１２からテレビ放送用の信号が入力されると、入力された信号の内、アナログ放送用の信号にてピークとなる周波数である映像搬送波周波数ｆｖの信号成分を抽出するために、発振回路１８の周波数を調整し、映像搬送波周波数ｆｖの信号を測定周波数ｆｏｅの信号に変換する。そして、ＢＰＦ２２にて抽出された信号成分を測定し、この信号レベルＥｖが制御回路４０内の測定レンジを超えるときには、まず、可変減衰器２６の減衰量を増加させ、それでも減衰量が不足のときは、可変減衰器１６の減衰量を増加させるように調整し、逆に、この信号レベルＥｖが測定レンジに満たないときには、可変減衰器１６の減衰量を減少させ、それでも減衰量が大きいときには、可変減衰器２６の減衰量を減少させる。つまり、制御回路４０は、信号レベルＥｖが、測定レンジを超えない範囲で最大となるように可変減衰器１６、２６を制御することにより、最適な信号レベル測定が可能となるように調整する。
【００３９】
次に、Ｓ１４０にて、ＯＦＤＭ復調部３２にて抽出されたＴＳ信号からヘッダが検出されるか否かを判断し、ヘッダが検出された場合には（Ｓ１４０：ＹＥＳ）、入力された信号がデジタル放送用の信号であるとして、Ｓ１５０に移行する。そして、Ｓ１５０では、カウント値ｍとして値１をセット（ｍ＝１）し、Ｓ１６０にて、次式（１）により、第ｎ放送チャンネルの周波数帯域を分割数Ｍ（本実施形態ではＭ＝１２とする）で分割した各周波数帯域の中心周波数ｆｍ（ｍ：１〜Ｍ）を算出する。なお、以下の式（１）にて、Ｂｏは、地上局から送信されるテレビ放送信号の放送チャンネルの帯域幅６ＭＨｚを示す。
【００４０】
【数１】
2007104013.tif 000003
【００４１】
次に、Ｓ１７０にて、中心周波数ｆｍの信号が測定周波数ｆｏｅに変換されるように、発振回路１８の発振周波数を調整し、ＢＰＦ２２にて抽出された信号により中心周波数ｆｍを中心とする信号レベルＥｎｍを測定する。そして、続くＳ１８０では、カウント値ｍが分割数Ｍと等しいか否かを判断し、等しくないと判断した場合には（Ｓ１８０：ＮＯ）、Ｓ１９０に移行し、カウント値ｍに１を加え、Ｓ１６０に移行する。そして、ｍ＝Ｍとなるまで、Ｓ１６０〜Ｓ１９０の処理を繰り返し実行する。
【００４２】
一方、Ｓ１８０にて、ｍ＝Ｍであると判断した場合には（Ｓ１８０：ＹＥＳ）、Ｓ２００に移行し、Ｓ１７０にて測定した信号レベルＥｎ１〜ＥｎＭを積算することで、第ｎ放送チャンネルの周波数帯域の信号レベルＥｎを算出する。
【００４３】
そして、続くＳ２１０では、図４に示すように、カラー液晶パネルからなる表示部３６の所定の位置に、色付きの棒グラフ５０（本実施形態では青色棒グラフ５０）にて信号レベルＥｎを表示し、Ｓ２２０に移行する。
【００４４】
また、Ｓ２２０にて、ＯＦＤＭ復調部３２にて抽出された変調モード信号から、キャリアの変調方式を読み取り、続くＳ２３０では、読み取ったキャリアの変調方式を、Ｓ２１０にて表示した青色棒グラフ５０の先端付近に文字（６４ＱＡＭの場合は６４、ＱＰＳＫの場合はＰＳＫ等）からなる識別画像５４を表示させ、Ｓ２７０へ移行する。なお、１つの放送チャンネルで複数の変調方式が使用されており、Ｓ２２０にて複数の変調方式が読み取られた場合には、読み取った全ての変調方式を識別できるように表示する。
【００４５】
一方、Ｓ１４０にて、ヘッダが検出されないと判断した場合には（Ｓ１４０：ＮＯ）、入力された信号がアナログ放送用の信号であるとして、Ｓ２４０に移行して、第ｎ放送チャンネルの中心周波数ｆｃを読み込み、続くＳ２５０では、この第ｎ放送チャンネルの映像搬送波周波数ｆｖの信号が測定周波数ｆｏｅの信号に変換されるように発振回路１８の発振周波数を調整し、ＢＰＦ２２にて抽出された信号成分により、第ｎ放送チャンネルの信号レベルＥｎを測定する。そして、Ｓ２６０では、カラー液晶パネルからなる表示部３６の所定の位置に、デジタル放送用の信号レベルを表示する棒グラフ５０と異なる色の棒グラフ５２（本実施形態では赤色棒グラフ５２）にてＳ２５０の処理にて測定した信号レベルＥｎを表示し、Ｓ２７０に移行する。
【００４６】
そして、Ｓ２７０にて、カウント値ｎが、サーチ機能にて測定を行う全放送チャンネル数Ｎと等しいか否かを判断し、等しくないと判断した場合には（Ｓ２７０：ＮＯ）、Ｓ２８０に移行し、カウント値ｎに１を加え、Ｓ１２０に移行する。そして、ｎ＝Ｎとなるまで、Ｓ１２０〜Ｓ２７０の処理を繰り返し実行する。
【００４７】
一方、Ｓ２７０にて、ｎ＝Ｎであると判断した場合には（Ｓ２７０：ＹＥＳ）、続くＳ２９０にて、全ての信号レベルＥｎ（Ｅ１〜ＥＮ）から、最大と最小の信号レベルを検出してレベル差を算出し、このレベル差に応じて、表示部３６のカラー液晶パネルに最適に表示可能なレンジにスケールを修正し、信号レベルを示す棒グラフ５０，５２及び変調方式を示す識別画像５４をスケールに合わせて再表示し、当該処理を終了する。
【００４８】
以上説明したように、本実施形態のレベルチェッカ１０においては、制御回路４０は、予め設定された放送チャンネルを順次選択し、入力端子１２から入力された受信信号の中から、選択した放送チャンネルの受信信号を選局する。そして、この放送チャンネルの信号レベルを測定すると共に、この信号がデジタル放送用の信号であるか、アナログ放送用の信号であるかを判断する。ここで、この信号がデジタル放送用の信号である場合には、表示部３６の所定の位置に、信号レベルを青色棒グラフ５０にて表示し、アナログ放送用の信号である場合には、信号レベルを赤色棒グラフ５２にて表示して、設定された放送チャンネル全ての信号レベルを青色棒グラフ５０、または、赤色棒グラフ５０にて一覧表示する。
【００４９】
このため、本実施形態のレベルチェッカ１０によれば、信号レベルを単に一覧表示するだけでなく、各放送チャンネル毎に受信した信号がデジタル放送用の信号であるか、アナログ放送用の信号であるかを識別できるように、異なる色の棒グラフにて一覧表示するので、使用者は受信アンテナが受信しているテレビ放送信号の種類を、一目で容易に識別することができ、例えば、デジタル放送用の信号とアナログ放送用の信号が混在する地域においても、受信すべき信号を容易に見分けることができるので、確実に受信アンテナの方向調整、信号レベルの調整を行うことが可能となる。
【００５０】
そして、信号レベルを棒グラフにより表示しているので、容易に各放送チャンネル毎の信号レベルの大小を比較できるので、放送チャンネルの信号レベルを一定に揃えたいような場合には、非常に効率よく調整を行うことができるようになり、便利である。
【００５１】
また、制御回路４０が選択した放送チャンネルの信号が、デジタル放送用の信号である場合には、この信号がＯＦＤＭ復調部３２にて復調、誤り訂正されて、ＴＳ信号及び変調モード信号等が抽出される。そして、制御回路４０は、ＯＦＤＭ復調部３２にて抽出されたＴＳ信号にヘッダがあるか否かにより、選択した放送チャンネルの信号がデジタル放送用の信号であるかアナログ放送用の信号であるかを判断しているので、信号の種類の判断がより確実となり、より正確な信号レベル表示とすることができる。
【００５２】
そして、選択した放送チャンネルの信号がデジタル放送用の信号である場合には、制御回路４０は、ＯＦＤＭ復調部３２にて抽出された変調モード信号から、選択した放送チャンネルの信号の変調方式を読み取り、信号レベルを示す棒グラフの先端付近に、変調方式を示す文字からなる識別画像５４を表示するので、使用者は、信号レベルの測定結果の画面にて各テレビ放送信号の変調方式を容易に知ることができるので、便利である。
【００５３】
なお、本実施形態において、ＯＦＤＭ復調部３２は本発明のデータ取得手段に相当し、カラー液晶パネルからなる表示部３６は本発明の表示手段に相当し、Ｓ１１０、Ｓ２７０、Ｓ２８０の処理は、本発明のチャンネル切替手段に相当し、Ｓ１２０、Ｓ１３０の処理は本発明の選局手段に相当し、Ｓ１４０、Ｓ２２０の処理は本発明の信号識別手段に相当し、Ｓ１５０〜Ｓ２００、Ｓ２４０、Ｓ２５０の処理は本発明の信号レベル測定手段に相当し、Ｓ２１０、Ｓ２３０、Ｓ２６０の処理は本発明の表示制御手段に相当する。
【００５４】
以上、本発明の一実施形態について説明したが、本発明は、種々の形態を採り得ることは言うまでもない。
本実施形態のレベルチェッカ１０は、地上局から送信されるテレビ放送信号の信号レベルを測定するものとしたが、衛星から送信されるテレビ放送信号の信号レベルも測定できる機能を設けてもよい。また、本実施形態では、本発明の信号レベル測定装置をレベルチェッカ１０としたが、チューナに本発明の信号レベル測定装置としての機能を設けてもよい。
【００５５】
そして、本実施形態では、デジタル放送用の信号であるか、アナログ放送用の信号であるかの判断を、ＴＳ信号のヘッダが読み取られるか否かにより行ったが、ＯＦＤＭ復調部３２からＴＳ信号が抽出されたか否かによって行ってもよく、また、放送チャンネル帯域内の信号レベルの変動から判断するようにしてもよい。
【００５６】
また、本実施形態では、デジタル放送用の信号のキャリアの変調方式を、信号レベルを示す棒グラフの先端付近に、文字からなる識別画像５４にて表示したが、必ずしも文字で表示する必要はなく、絵でもよい。さらに、変調方式に加え、符号化率等の放送信号の種類を示す他の表示を表示させてもよく、また、搬送波電力対雑音電力比（Ｃ／Ｎ）や、ビット誤り率等の電波の受信状態を判断するためのパラメータを表示させてもよい。
【００５７】
そして、信号レベルは、棒グラフでなく、数値で表示してもよく、この場合には、各数値の後にＡ，Ｄ等の記号を付加する、または、数値の色を変えることによりデジタル放送用の信号であるか、アナログ放送用の信号であるかを識別できるようにするとよい。
【００５８】
そして、本実施形態のレベルチェッカ１０はカラー液晶パネルを備えたものとしたが、モノクロの液晶パネルを備えるものでもよく、この場合には、棒グラフの色を白色と黒色にしたり、また、棒グラフのパターンを変えることにより信号の種類を識別できるようにすればよい。
【図面の簡単な説明】
【００５９】
【図１】レベルチェッカ１０の全体構成を示す概略構成図である。
【図２】テレビ放送信号の信号波形を示す説明図である。
【図３】本実施形態の信号測定処理を示すフローチャートである。
【図４】レベルチェッカ１０の表示部３６の表示例を示す説明図である。
【符号の説明】
【００６０】
１０…レベルチェッカ、１２…入力端子、１４…ＲＦ増幅回路、１６…可変減衰器、１８…可変発振回路、２０…ミキサ、２２…ＢＰＦ、２４…ＩＦ増幅回路、２６…可変減衰器、２８…検波回路、３０…Ａ／Ｄコンバータ、３２…ＯＦＤＭ復調部、３４…操作部、３６…表示部、３８…メモリ、４０…制御回路、４２…外部端子、５０…（青色）棒グラフ、５２…（赤色）棒グラフ、５４…識別画像
【図１】
2007104013.tif 000004
【図２】
2007104013.tif 000005
【図３】
2007104013.tif 000006
【図４】
2007104013.tif 000007